(57)【要約】【課題】保存先の記録媒体の容量増加に起因するコストアップを抑制できる車載情報設定システム、および、車載情報設定装置を提供することを目的とする。【解決手段】車両に搭載され、その車両の車載機器に対する複数の設定値を設定する車載情報設定装置と、車両の外に設置され、車載情報設定装置と無線ネットワークを介して無線通信を行うサーバーとを備えた車載情報設定システムであって、サーバーは、車載情報設定装置の記録媒体に設定値として保存するための複数の設定用情報を保存している。その車載情報設定装置の制御部は、インターフェースに設定要求が入力されたことが通知されると、サーバーに保存されている複数の設定用情報のうち、設定要求により定まる一部の設定用情報を取得し、取得した設定用情報に基づいて記録媒体に設定値を保存する。これによって、記録容量が小さい記録媒体を用いることができ、コストアップを抑制できる。【選択図】図１
2013060027.tif 000002
【特許請求の範囲】
【請求項１】
車両に搭載され、その車両の車載機器に対する複数の設定値を設定する車載情報設定装置と、前記車両の外に設置され、前記車載情報設定装置と無線ネットワークを介して無線通信を行うサーバーとを備えた車載情報設定システムであって、
前記車載情報設定装置は、ユーザーが操作するインターフェースと、前記サーバーへ接続するための無線接続部と、前記インターフェースと前記無線接続部に接続される制御部と、前記制御部に接続され前記車載機器に対する複数の設定値を保存する記録媒体とを備え、
前記サーバーは、前記車載情報設定装置の記録媒体に設定値として保存するための複数の設定用情報を保存しており、
前記車載情報設定装置の制御部は、前記インターフェースに設定要求が入力されたことが通知されると、前記無線接続部を前記サーバーへ接続させることにより、前記サーバーに保存されている複数の設定用情報のうち、前記設定要求により定まる一部の設定用情報を取得し、取得した設定用情報に基づいて前記記録媒体に設定値を保存することを特徴とする車載情報設定システム。
【請求項２】
請求項１において、
前記サーバーは、前記設定用情報として、前記車載情報設定装置の記録媒体に保存する設定値に対する複数の候補値からなる設定値候補群を、複数種類の設定値に対して保存しており、
前記車載情報設定装置の制御部は、前記インターフェースに入力された設定要求が、個別の設定値の設定要求である場合、前記無線接続部を前記サーバーへ接続させることにより、前記サーバーから、設定要求に基づいて定まる設定値候補群を取得し、取得した設定値候補群からユーザーが選択した設定値を前記記録媒体に保存することを特徴とする車載情報設定システム。
【請求項３】
請求項１または２において、
前記サーバーは、前記設定用情報として、前記車載情報設定装置の記録媒体に保存する複数の設定値の仕向け地別の初期設定値からなる仕向け地テーブルを、複数の仕向け地に対して保存しており、
前記車載情報設定装置の制御部は、前記インターフェースに入力された設定要求が、仕向け地の設定要求である場合、前記無線接続部を前記サーバーへ接続させることにより、前記サーバーから、設定要求に基づいて定まる仕向け地テーブルを取得し、取得した仕向け地テーブルに基づいて、前記記録媒体の設定値を設定することを特徴とする車載情報設定システム。
【請求項４】
請求項３において、
前記車載情報設定装置の制御部は、前記インターフェースに入力された設定要求が、仕向け地の設定要求である場合、前記無線接続部を前記サーバーへ接続させる前に、前記ユーザーに前記仕向け地の設定をする権限があるかを確認し、権限があると確認できた場合に、設定要求に基づいて定まる仕向け地テーブルを取得することを特徴とする車載情報設定システム。
【請求項５】
車両に搭載され、その車両の車載機器に対する複数の設定値を設定する車載情報設定装置であって、
ユーザーが操作するインターフェースと、車両の外部に設置されたサーバーへ接続するための無線接続部と、前記インターフェースと前記無線接続部に接続される制御部と、前記制御部に接続され前記車載機器に対する複数の設定値を保存する記録媒体とを備え、
前記制御部は、前記インターフェースに設定要求が入力されたことが通知されると、前記無線接続部を前記サーバーへ接続させることにより、前記サーバーに保存された、車載情報設定装置の記録媒体に設定値として保存するための複数の設定用情報のうち、前記設定要求により定まる一部の設定用情報を取得し、取得した設定用情報に基づいて前記記録媒体に設定値を保存することを特徴とする車載情報設定装置。
【発明の詳細な説明】
【技術分野】
【０００１】
本発明は、車載機器に対する複数の設定値を設定する車載情報設定システム、および、このシステムに用いる車載情報設定装置に関する。
【背景技術】
【０００２】
従来、たとえば特許文献１のように車載機器のシステム設定を変更できる装置が知られている。特許文献１には、ドアミラー、ワイパー、ヘッドライト、車内照明等の車載機器の設定値を設定できる車両情報設定装置が記載されている。
【先行技術文献】
【特許文献】
【０００３】
【特許文献１】特許４５４４０９１号公報
【発明の概要】
【発明が解決しようとする課題】
【０００４】
特許文献１に記載の車両情報設定装置では、システム設定の変更に必要な情報は、すべて車両情報設定装置に保存している。しかし、設定に必要なすべての情報を車両情報設定装置内に保存しようとすると、保存する記録媒体の容量は大きなものとなり、車両情報設定装置のコストも高くなる。しかも、設定に必要な情報は今後さらに増えると予想されるため、保存先の記録媒体の容量増加に起因するコストアップが問題となっている。
【０００５】
そこで本発明は、コストアップが抑制できる車載情報設定システム、および、車載情報設定装置を提供することを目的とする。
【課題を解決するための手段】
【０００６】
その目的を達成するために請求項１記載の発明は、車両に搭載され、その車両の車載機器に対する複数の設定値を設定する車載情報設定装置と、前記車両の外に設置され、前記車載情報設定装置と無線ネットワークを介して無線通信を行うサーバーとを備えた車載情報設定システムであって、前記車載情報設定装置は、ユーザーが操作するインターフェースと、前記サーバーへ接続するための無線接続部と、前記インターフェースと前記無線接続部に接続される制御部と、前記制御部に接続され前記車載機器に対する複数の設定値を保存する記録媒体とを備え、前記サーバーは、前記車載情報設定装置の記録媒体に設定値として保存するための複数の設定用情報を保存しており、前記車載情報設定装置の制御部は、前記インターフェースに設定要求が入力されたことが通知されると、前記無線接続部を前記サーバーへ接続させることにより、前記サーバーに保存されている複数の設定用情報のうち、前記設定要求により定まる一部の設定用情報を取得し、取得した設定用情報に基づいて前記記録媒体に設定値を保存する。
【０００７】
請求項１記載の発明によれば、サーバーに、車載情報設定装置の記録媒体に設定値として保存するための複数の設定用情報を保存しており、サーバーに保存されている複数の設定用情報のうちの一部の設定用情報のみを取得する。そして、その一部の設定用情報に基づいて車載情報設定装置の記録媒体に設定値を保存する。よって、車載情報設定装置の記録媒体に、全ての設定用情報を保存しておく必要がないことから、記録媒体として、記録容量が小さいものを用いることができるようになるので、コストアップを抑制できる。
【０００８】
加えて、複数の設定用情報をサーバーに保存しておき、無線通信により、サーバーに保存されている複数の設定用情報から一部の設定用情報を取得して記録媒体に設定値を保存する。よって、法規改正などにより設定値の変更が必要な場合でも、車両の一台一台を回収して設定値を変更する必要はないため、設定値の変更における工数を減らすことができる。
【０００９】
ここで、設定用情報としては、請求項２の設定値候補群や請求項３の仕向け地テーブルがある。請求項２記載の発明では、前記サーバーは、前記設定用情報として、前記車載情報設定装置の記録媒体に保存する設定値に対する複数の候補値からなる設定値候補群を、複数種類の設定値に対して保存しており、前記車載情報設定装置の制御部は、前記インターフェースに入力された設定要求が、個別の設定値の設定要求である場合、前記無線接続部を前記サーバーへ接続させることにより、前記サーバーから、設定要求に基づいて定まる設定値候補群を取得し、取得した設定値候補群からユーザーが選択した設定値を前記記録媒体に保存する。
【００１０】
請求項３記載の発明では、前記サーバーは、前記設定用情報として、前記車載情報設定装置の記録媒体に保存する複数の設定値の仕向け地別の初期設定値からなる仕向け地テーブルを、複数の仕向け地に対して保存しており、前記車載情報設定装置の制御部は、前記インターフェースに入力された設定要求が、仕向け地の設定要求である場合、前記無線接続部を前記サーバーへ接続させることにより、前記サーバーから、設定要求に基づいて定まる仕向け地テーブルを取得し、取得した仕向け地テーブルに基づいて、前記記録媒体の設定値を設定する。
【００１１】
また、設定用情報として仕向け地テーブルを保存している場合、請求項４記載の発明のようにすることが好ましい。その請求項４記載の発明では、前記車載情報設定装置の制御部は、前記インターフェースに入力された設定要求が、仕向け地の設定要求である場合、前記無線接続部を前記サーバーへ接続させる前に、前記ユーザーに前記仕向け地の設定をする権限があるかを確認し、権限があると確認できた場合に、設定要求に基づいて定まる仕向け地テーブルを取得する。
【００１２】
このように、仕向け地の設定要求がインターフェースに入力された場合は、仕向け地の設定が許可されたユーザーからの入力であるかを確認し、その確認ができた場合に限り、仕向け地テーブルを要求する。これによって、仕向け地別の法規制に対応した設定値を含んでいる仕向け地テーブルを不用意に変更することが抑制できる。
【００１３】
また、請求項５記載の発明は、請求項１のシステムにおける車載情報設定装置の発明である。
【図面の簡単な説明】
【００１４】
【図１】本発明が適用された車載情報設定システムの全体構成を示す模式図である。
【図２】本発明が適用された車載情報設定システムを使用する際のシーケンス図である。
【発明を実施するための形態】
【００１５】
以下、本発明の実施の形態を図面に基づいて説明する。 図１は本実施形態における車載情報設定システムの全体構成を示す模式図である。本車載情報設定システムは、車載情報設定装置１と、車載情報設定装置１と無線ネットワーク２を介して接続された外部サーバー３を備えている。外部サーバー３は、無線ネットワーク２を介して複数の車載情報設定装置１と接続することができる。それら複数の車載情報設定装置１はいずれも同じ構成である。
【００１６】
車載情報設定装置１は、車外の通信装置と無線ネットワーク２を介して通信することができる無線接続装置として、ＤＣＭ（Data Communication Module）１１を備えている。また、ユーザーが操作するインターフェースであるナビシステムとその画面（以下ＨＭＩ）１２、ＨＭＩ１２やＤＣＭ１１を制御するＥＣＵ１３、及びＥＣＵ１３の動作に必要な情報を蓄積している記憶媒体１４を備えている。
【００１７】
記録媒体１４は、たとえばフラッシュメモリなどの不揮発性記録媒体であり、この記録媒体１４には、ＥＣＵ１３が車載機器の制御に必要とする各種プログラムや、そのプログラムにおいて使用される設定値であって、ユーザー操作により設定可能な設定値（１４２，１４３) 、これら設定値を設定する際に参照する対応管理テーブル１４１が保存される。
【００１８】
対応管理テーブル１４１は、記録媒体１４に保存されている複数の設定値と外部サーバー３に保存されている複数の設定値候補群の対応関係を定めるテーブルである。たとえば対応管理テーブル１４１には、ライト点灯設定値１４２とライト点灯設定値候補群３１とが対応していること、またオートロック設定値１４３とオートロック設定値候補群３２とが対応していることが定められている。
【００１９】
記録媒体１４に保存されている設定値は、ユーザーがＨＭＩ１２に所定の入力操作をしてユーザー設定プログラムを呼び出した後、後述する選択操作によって、外部サーバー３に保存されている設定値候補群に含まれる複数の設定値、又は仕向け地テーブルなどの設定用情報からユーザーが任意に選択し、設定する値である。このようにユーザーが選択できる設定値として図１には、ライトが点灯している時間を定めるライト点灯設定値１４２、オートロックが起動するまでの時間を設定するオートロック設定値１４３を例示している。
【００２０】
一方で外部サーバー３には、車載情報設定装置１の記録媒体１４に保存される設定値１４２，１４３の候補となる設定値候補群３１、３２などの種々の設定値候補群が保存されている。また、外部サーバー３には仕向け地テーブル群３３も保存されている。この仕向け地テーブル群３３は、複数の仕向け地にそれぞれ対応した複数の仕向け地テーブルからなっている。各仕向け地テーブルは、上述のライト点灯設定値１４２、オートロック設定値１４３の仕向け地別の初期設定値など、複数の設定値の初期設定値からなるテーブルである。
【００２１】
外部サーバー３の内部構成については特に図示しないが、外部サーバー３はＣＰＵ、メモリとを含み、外部記録装置に接続されている装置であり、前述の設定値候補群３１、３２や仕向け地テーブル群３３はこの外部サーバー３内の記録領域に保存される。
【００２２】
ユーザーは、設定値候補群に含まれる複数の候補値から任意の値を選んで自車に設定する。たとえばライト点灯設定値１４２の場合、ライトの点灯時間として１分、３分、５分の設定が可能であるとすると、１分、３分、５分が候補値であり、これらの候補値からなるのがライト点灯設定値候補群３１である。一方、ライト点灯設定値１４２は、たとえば「１分」であり、ライト点灯設定値候補群３１から、ユーザーが選択し、設定した値である。
【００２３】
但し、仕向け地の設定要求がＨＭＩ１２に入力された場合は、仕向け地の設定が許可されたユーザーからの入力であるかを確認し、その確認ができた場合に限り、仕向け地テーブルを要求する。なぜなら、仕向け地テーブルは、仕向け地別の法規制に対応した設定値を含んでいるため、不用意に変更できてしまうとすると、その法規制に適合しない設定となってしまうからである。
【００２４】
次に、図１の車載情報設定システムを用いた設定値の設定方法について、図２に沿って以下に具体的に説明する。まず、ユーザーはＨＭＩ１２を起動する操作を行なう（Ｓ１）。ＨＭＩ１２が起動するとメニュー画面が表示され（Ｓ２）、ユーザーは画面に従ってＨＭＩ１２を操作し、設定値の設定もしくは変更を要求する設定要求を入力する(Ｓ３)。ＨＭＩ１２は入力された設定要求をＥＣＵ１３へ通知する（Ｓ４）。ＥＣＵ１３は通知された設定要求に対して必要な設定値候補群が何かを記録媒体１４内に保存している対応管理テーブル１４１を参照して判断し、ユーザーの設定要求に対応する設定値候補群を外部サーバー３から取得するようＤＣＭ１１に指示する（Ｓ５）。
【００２５】
たとえばユーザーがＨＭＩ１２に入力した設定要求がライト点灯設定値１４２を設定する要求であれば、その設定要求に対応する設定値候補群はライト点灯設定値候補群３１である。なお、ＥＣＵ１３は、ＨＭＩ１２から通知された設定要求が仕向け地の設定要求であった場合には、通知された仕向け地に対応する仕向け地テーブルを外部サーバー３から取得するようＤＣＭ１１に指示する。ただし、この指示を行なう前に、ユーザーに仕向け地の設定をする権限があるかを確認し、権限があると確認できた場合に限り、仕向け地テーブルを取得するようＤＣＭ１１に指示する。なお、この確認は、たとえば、パスワードの入力により行なう。
【００２６】
ＥＣＵ１３から取得指示を受けたＤＣＭ１１は、指示された設定値候補群あるいは仕向け地テーブルの取得を外部サーバー３へ要求する（Ｓ６）。外部サーバー３は、その要求を受信すると、多数記憶している設定値候補群あるいは仕向け地テーブル群３３から、要求された１つの設定値候補群あるいは仕向け地テーブルを返す。
【００２７】
ＤＣＭ１１は要求した設定値候補群あるいは仕向け地テーブルを外部サーバー３から受信すると（Ｓ７）、ＥＣＵ１３へ転送し、ＥＣＵ１３は要求した設定値候補群あるいは仕向け地テーブルを取得する（Ｓ８）。ＥＣＵ１３は取得したものが仕向け地テーブルであれば、仕向け地テーブルに含まれる各設定値を、記録媒体１４の各設定値として設定する。一方、取得したものが設定値候補群であれば、ＨＭＩ１２へ通知（Ｓ９）し、ＨＭＩ１２はそれをユーザーに表示する（Ｓ１０）。
【００２８】
これにより、設定値に設定可能な候補、１分、３分、５分がＨＭＩ１２に表示されるので、ＨＭＩ１２に表示された候補の中からユーザーは、任意の設定値を選択する（Ｓ１１）。設定値が選択され入力されると、ＨＭＩ１２は選択された設定値をＥＣＵ１３へ通知（Ｓ１２）する。通知を受けたＥＣＵ１３は、設定値を制御プログラムに設定し、記録媒体１４へ保存する設定処理を行う（Ｓ１３）。設定処理の後、ＥＣＵ１３からＨＭＩ１２に設定完了が通知され（Ｓ１４）、ＨＭＩ１２に完了したと表示される（Ｓ１５）。ユーザーに設定完了を通知した後、ＥＣＵ１３は設定値以外の外部サーバー３から取得した設定値候補群３１を削除する（Ｓ１６）。
【００２９】
このように図２にしたがって設定に必要な情報をその都度外部サーバー３から取得する本システムを構築することによって、自車内に設定情報を蓄積しておく必要がなくなる。すなわち、自車のＥＣＵ１３に搭載する記録媒体１４の容量は少なくすることができる。また、外部サーバー３から取得した設定値候補群は削除する（Ｓ１６）ので、自車内の記録媒体１４には不要な情報が残ることもない。
【００３０】
また、設定値候補群や仕向け地テーブル群を外部サーバー３に保存しておき、無線通信により、必要な設定値候補群や仕向け地テーブルを外部サーバー３から取得するので、法規改正などにより設定値の変更が必要な場合でも、車両の一台一台を回収して設定値を変更する必要はないため、設定値の変更における工数を減らすことができる。
【００３１】
以上、本発明の実施形態を説明したが、本発明は上述の実施形態に限定されるものではなく、次の実施形態も本発明の技術的範囲に含まれ、さらに、下記以外にも要旨を逸脱しない範囲内で種々変更して実施することができる。
【００３２】
たとえば、前述の実施形態では設定値として、図１にライト点灯設定値１４２とオートロック設定値１４３、仕向け地設定値１４４の３つを記載したが、これら以外にもキーレスエントリーの設定やワイパーの設定、またはドアミラーの設定なども考えられる。
【００３３】
また、対応管理テーブル１４１は、自車両の記録媒体１４ではなく、外部サーバー３の記録領域に保存してもよい。
【符号の説明】
【００３４】
１  車載情報設定装置、      ２  無線ネットワーク、      ３  外部サーバー、
１１  ＤＣＭ（無線接続部）、      １２  ＨＭＩ、      １３  ＥＣＵ、
１４  記録媒体
【図１】
2013060027.tif 000003
【図２】
2013060027.tif 000004